(57)【要約】【課題】被検眼に対して良好な視標を呈示可能な視標呈示装置を提供する。【解決手段】白色光を出射する光源と、白色光の光路に配置された視標チャートと、光路に配置された二色フィルタであって、緑色波長域の緑色光を透過する緑色ダイクロイックフィルタ及び赤色波長域の赤色光を透過する赤色ダイクロイックフィルタを有する二色フィルタと、を備える。【選択図】図６
2020156685.tif 000002
【特許請求の範囲】
【請求項１】
白色光を出射する光源と、
前記白色光の光路に配置された視標チャートと、
前記光路に配置された二色フィルタであって、緑色波長域の緑色光を透過する緑色ダイクロイックフィルタ及び赤色波長域の赤色光を透過する赤色ダイクロイックフィルタを有する二色フィルタと、
を備える視標呈示装置。
【請求項２】
前記二色フィルタが、
透光性の基板と、
前記基板の表面上に形成された前記緑色ダイクロイックフィルタ及び前記赤色ダイクロイックフィルタと、
を備える請求項１に記載の視標呈示装置。
【請求項３】
前記基板が、前記緑色光を透過する緑色ガラスフィルタと、前記赤色光を透過する赤色ガラスフィルタと、を含み、
前記緑色ダイクロイックフィルタが前記緑色ガラスフィルタの表面上に形成され、且つ前記赤色ダイクロイックフィルタが前記赤色ガラスフィルタの表面上に形成されている請求項２に記載の視標呈示装置。
【請求項４】
前記基板の表面上で前記緑色ダイクロイックフィルタと前記赤色ダイクロイックフィルタとが接合している請求項２又は３に記載の視標呈示装置。
【請求項５】
前記光路に対して平行な第１回転軸を中心として回転するチャート板であって、前記第１回転軸の軸周り方向に沿って複数種類の前記視標チャートが設けられているチャート板と、
前記第１回転軸を中心として前記チャート板を回転させて、複数種類の前記視標チャートを選択的に前記光路に配置させる第１回転機構と、
を備え、
前記二色フィルタが、前記チャート板の少なくとも一つの前記視標チャートに対応する位置に設けられている請求項１から４のいずれか１項に記載の視標呈示装置。
【請求項６】
前記光路に対して平行な第１回転軸を中心として回転するチャート板であって、前記第１回転軸の軸周り方向に沿って複数種類の前記視標チャートが設けられているチャート板と、
前記第１回転軸を中心として前記チャート板を回転させて、複数種類の前記視標チャートを選択的に前記光路に配置させる第１回転機構と、
前記光路に対して平行な第２回転軸を中心として回転するマスク板であって、前記第２回転軸の軸周り方向に沿って複数種類のマスク開口が設けられているマスク板と、
前記第２回転軸を中心として前記マスク板を回転させて、複数種類の前記マスク開口を選択的に前記光路に配置させる第２回転機構と、
を備え、
前記二色フィルタが、前記チャート板の少なくとも一つの前記視標チャートに対応する位置、或いは前記マスク板の少なくとも一つの前記マスク開口に対応する位置に設けられている請求項１から４のいずれか１項に記載の視標呈示装置。
【請求項７】
前記光源が、発光ダイオードである請求項１から６のいずれか１項に記載の視標呈示装置。
【発明の詳細な説明】
【技術分野】
【０００１】
本発明は、被検眼に対して視標を呈示する視標呈示装置に関する。
【背景技術】
【０００２】
眼科及び眼鏡店には、被検眼の各種の視機能を自覚検査するために、被検眼に対して各種視標を呈示する視標呈示装置（自覚式検眼装置ともいう）が設置されている。このような視標呈示装置として、光源から出射される白色光によりチャート板の視標チャートをその背後から照明することで、視標を被検眼から所定の検査距離（５ｍ程度）だけ離れた距離に配置されたスクリーンに投影する投影式の装置が知られている。
【０００３】
被検眼の視機能の自覚検査の一つとして、眼鏡レンズの屈折力を微調整するためのレッドグリーンテスト（赤緑検査ともいう）が知られている。このレッドグリーンテストでは、背景が緑色と赤色とに色分けされているレッドグリーンテスト視標を被検眼に呈示する。
【０００４】
投影式の視標呈示装置においてレッドグリーンテストを行う場合には、赤色フィルタ及び緑色フィルタを含む二色フィルタと、文字及び記号等が形成された視標チャートとを、光源から出射される白色光の光路にそれぞれ配置することで、スクリーンにレッドグリーンテスト視標を投影する。これにより、被検眼に対してレッドグリーンテスト視標が呈示される。
【０００５】
赤色フィルタは、赤色波長域の赤色光を透過する赤色ガラスフィルタが用いられ、緑色フィルタは、緑色波長域の緑色光を透過する緑色ガラスフィルタが用いられる。なお、色ガラスフィルタは、透過する波長域の光の一部と透過しない波長域の光の大部分とを吸収することで、特定の色を作り出す。このため、色ガラスフィルタの厚みによって光の透過率が変化して視標の明るさが変化する。そして、色ガラスフィルタは部材ごとの透過率の変動が比較的大きいので、同じ明るさ（性能）を得るためには、個々の厚みを制御する必要がある。
【０００６】
近年、投影式の視標呈示装置では、光源として白色光を出射する発光ダイオード（light emitting diode：ＬＥＤ）が用いられることが多い。この際に、従来のハロゲンランプと共に使用されていた赤色ガラスフィルタ及び緑色ガラスフィルタをそのままＬＥＤの白色光で照明すると、レッドグリーンテスト視標の赤色背景が緑色背景に対して暗くなる。
【０００７】
そこで、特許文献１に記載の視標呈示装置では、赤色ガラスフィルタ及び緑色ガラスフィルタとして、その厚みの変化に対する視感特性の変化が異なる色ガラスフィルタを使用する。そして、特許文献１に記載の視標呈示装置では、両色ガラスフィルタの接合部分での影の発生を抑えるために両色ガラスフィルタの厚さを同一に調整すると共に、レッドグリーンテスト視標を被検眼に呈示した場合の赤色背景及び緑色背景の視感特性が略同一となるように両色ガラスフィルタの厚さを決定している。これにより、レッドグリーンテスト視標の赤色背景と緑色背景とをほぼ等しい明るさで被検眼に呈示することができる。
【先行技術文献】
【特許文献】
【０００８】
【特許文献１】特開２００８−１８８０５８号公報
【発明の概要】
【発明が解決しようとする課題】
【０００９】
図１１は、特許文献１に記載の視標呈示装置の課題を説明するための説明図である。図１２は、特許文献１に記載の視標呈示装置により被検眼に呈示されるレッドグリーンテスト視標１４の概略図である。
【００１０】
図１１に示すように、特許文献１の視標呈示装置は、レッドグリーンテスト時に、チャート板１００の所定の視標チャート１０２と、マスク板１０４の所定のマスク開口１０６とを、不図示のＬＥＤから出射される白色光Ｌ１の光路に配置する。このマスク開口１０６には、緑色ガラスフィルタ１０８及び赤色ガラスフィルタ１０９が設けられている。なお、緑色ガラスフィルタ１０８及び赤色ガラスフィルタ１０９は、視標チャート１０２に設けられていてもよい。
【００１１】
緑色ガラスフィルタ１０８は、白色光Ｌ１のうち緑色波長域の緑色光ＬＧを透過する。また、赤色ガラスフィルタ１０９は、白色光Ｌ１のうち赤色波長域の赤色光ＬＲを透過する。そして、視標チャート１０２を透過した緑色光ＬＧ及び赤色光ＬＲにより構成される視標光束Ｌ２が不図示のスクリーン上に結像されることで、図１２に示すように、被検眼に対して、黒色視標１６Ｂ、緑色背景１６Ｇ、及び赤色背景１６Ｒを有するレッドグリーンテスト視標１４が呈示される。
【００１２】
この際に、緑色ガラスフィルタ１０８及び赤色ガラスフィルタ１０９には厚みがある。このため、緑色ガラスフィルタ１０８及び赤色ガラスフィルタ１０９の厚みが同一であっても、図１１中の矢印Ａで示すように、斜め方向から緑色ガラスフィルタ１０８及び赤色ガラスフィルタ１０９の一方に入射した白色光Ｌ１の一部は一方を透過した後に他方を透過する。この場合には、緑色光ＬＧと赤色光ＬＲとが混ざることにより、図１２に示すように、レッドグリーンテスト視標１４の緑色背景１６Ｇ及び赤色背景１６Ｒの境界に影１１４が発生する。
【００１３】
また、上述の影１１４は、緑色ガラスフィルタ１０８及び赤色ガラスフィルタ１０９の接合部（以下、接合部と略す）に欠けがある場合にも発生する。そして、この欠けを防止するために接合部に面取りを施したとしても、この面取り面により影１１４が発生してしまう。このため、被検者に影１１４が見えないように接合部に黒ラインを形成したり或いは接合後に研磨したりする方法がある。
【００１４】
しかしながら、前者の方法ではレッドグリーンテスト視標１４の緑視標と赤視標との間隔が空いてしまうので被検者が両視標を比較し難くなる。また、後者の方法では緑色ガラスフィルタ１０８及び赤色ガラスフィルタ１０９を貼り合せた後で研磨する必要があるので、非常に手間がかかる。
【００１５】
さらに、緑色ガラスフィルタ１０８及び赤色ガラスフィルタ１０９は、大量生産される市販品の中から選択する必要がある。このため、必ずしも光源の種類に対応した最適な色ガラスフィルタを選択することができないという問題もある。
【００１６】
このように特許文献１に記載の視標呈示装置では、緑色ガラスフィルタ１０８及び赤色ガラスフィルタ１０９を用いているため、依然として、被検眼に対して良好なレッドグリーンテスト視標１４を呈示することが困難である。
【００１７】
また、厚みのある緑色ガラスフィルタ１０８及び赤色ガラスフィルタ１０９をマスク板１０４（チャート板１００でも可）に設けると、マスク板１０４の重量が増すと共にバランスが崩れるため、高速回転及び停止が困難となる。その結果、視標の切り替えに時間を要することになる。
【００１８】
本発明はこのような事情に鑑みてなされたものであり、被検眼に対して良好な視標を呈示可能な視標呈示装置を提供することを目的とする。
【課題を解決するための手段】
【００１９】
本発明の目的を達成するための視標呈示装置は、白色光を出射する光源と、白色光の光路に配置された視標チャートと、光路に配置された二色フィルタであって、緑色波長域の緑色光を透過する緑色ダイクロイックフィルタ及び赤色波長域の赤色光を透過する赤色ダイクロイックフィルタを有する二色フィルタと、を備える。
【００２０】
この視標呈示装置によれば、被検眼に呈示される視標（視標像）に影が発生することが防止され、且つ二色フィルタを大幅に軽量化することができる。
【００２１】
本発明の他の態様に係る視標呈示装置において、二色フィルタが、透光性の基板と、基板の表面上に形成された緑色ダイクロイックフィルタ及び赤色ダイクロイックフィルタと、を備える。これにより。被検眼に呈示される視標に影が発生することが防止される。
【００２２】
本発明の他の態様に係る視標呈示装置において、基板が、緑色光を透過する緑色ガラスフィルタと、赤色光を透過する赤色ガラスフィルタと、を含み、緑色ダイクロイックフィルタが緑色ガラスフィルタの表面上に形成され、且つ赤色ダイクロイックフィルタが赤色ガラスフィルタの表面上に形成されている。これにより、多種の光源に対応することができる。
【００２３】
本発明の他の態様に係る視標呈示装置において、基板の表面上で緑色ダイクロイックフィルタと赤色ダイクロイックフィルタとが接合している。これにより。被検眼に呈示される視標に影が発生することが防止される。
【００２４】
本発明の他の態様に係る視標呈示装置において、光路に対して平行な第１回転軸を中心として回転するチャート板であって、第１回転軸の軸周り方向に沿って複数種類の視標チャートが設けられているチャート板と、第１回転軸を中心としてチャート板を回転させて、複数種類の視標チャートを選択的に光路に配置させる第１回転機構と、を備え、二色フィルタが、チャート板の少なくとも一つの視標チャートに対応する位置に設けられている。これにより、二色フィルタをより軽量化することができると共に、視標呈示装置の部品数を減らすことができる。
【００２５】
本発明の他の態様に係る視標呈示装置において、光路に対して平行な第１回転軸を中心として回転するチャート板であって、第１回転軸の軸周り方向に沿って複数種類の視標チャートが設けられているチャート板と、第１回転軸を中心としてチャート板を回転させて、複数種類の視標チャートを選択的に光路に配置させる第１回転機構と、光路に対して平行な第２回転軸を中心として回転するマスク板であって、第２回転軸の軸周り方向に沿って複数種類のマスク開口が設けられているマスク板と、第２回転軸を中心としてマスク板を回転させて、複数種類のマスク開口を選択的に光路に配置させる第２回転機構と、を備え、二色フィルタが、チャート板の少なくとも一つの視標チャートに対応する位置、或いはマスク板の少なくとも一つのマスク開口に対応する位置に設けられている。これにより、二色フィルタをより軽量化することができると共に、視標呈示装置の部品数を減らすことができる。
【００２６】
本発明の他の態様に係る視標呈示装置において、光源が、発光ダイオードである。
【発明の効果】
【００２７】
本発明は、被検眼に対して良好な視標を呈示することができる。
【図面の簡単な説明】
【００２８】
【図１】被検眼に対して複数種類の視標を選択的に呈示する視標呈示装置の概略図である。
【図２】視標呈示装置により被検眼Ｅに呈示される３０種類の視標の一覧を示した図である。
【図３】チャート板の正面図である。
【図４】マスク板の正面図である。
【図５】レッドグリーンテスト視標に対応した二色フィルタの外観斜視図である。
【図６】図５に示した二色フィルタによる緑色光及び赤色光の透過を説明するための説明図である。
【図７】二色フィルタの変形例１を説明するための説明図である。
【図８】二色フィルタの変形例２を説明するための説明図である。
【図９】ワース４灯テスト視標に対応した二色フィルタの変形例２を説明するための説明図である。
【図１０】二色フィルタの変形例３を説明するための説明図である。
【図１１】特許文献１に記載の視標呈示装置の課題を説明するための説明図である。
【図１２】特許文献１に記載の視標呈示装置により被検眼に呈示されるレッドグリーンテスト視標の概略図である。
【発明を実施するための形態】
【００２９】
［視標呈示装置の構成］
図１は、被検眼Ｅに対して複数種類の視標１２を選択的に呈示する視標呈示装置１０の概略図である。図１に示すように、視標呈示装置１０は、被検眼Ｅの各種視機能を自覚検査するために、複数種類（本実施形態では例えば３０種類）の視標１２の中から検者により選択された視標１２をスクリーン９に投影することで、この視標１２を被検眼Ｅ（被検者）に呈示する。
【００３０】
図２は、視標呈示装置１０により被検眼Ｅに呈示される３０種類の視標１２の一覧を示した図である。３０種類の視標１２には、白色背景上に黒色の文字又は記号を表わした黒色視標１３と、背景又は視標自体が緑色と赤色とに色分けされているレッドグリーンテスト視標１４及びワース４灯テスト視標１５と、が含まれる。なお、本明細書における視標１２（黒色視標１３、レッドグリーンテスト視標１４、及びワース４灯テスト視標１５）とは、スクリーン９に投影される視標像、すなわち被検眼Ｅに呈示される視標像である。
【００３１】
黒色視標１３としては、例えば、視力検査用のランドルト環、記号、及び文字等と、乱視テスト用の放射線視標と、クロスシリンダーテスト用の点群視標と、不等像視テスト用の不等像視標と、十字斜位テスト用の十字斜位視標と、マドックステスト用の光源視標と、が挙げられる。
【００３２】
レッドグリーンテスト視標１４は、公知のレッドグリーンテストに用いられるものであり、既述の図１２に示したように、緑色背景１６Ｇと、赤色背景１６Ｒと、文字及び記号等の黒色視標１６Ｂと、を含む。ワース４灯テスト視標１５は、公知のワース４灯テストに用いられるものであり、黒色背景１８Ｂと、緑色視標１８Ｇと、赤色視標１８Ｒと、を含む。なお、ワース４灯テスト（ワース４灯テスト視標１５）は、広義ではレッドグリーンテスト（レッドグリーンテスト視標１４）に含まれる。
【００３３】
図１に戻って、視標呈示装置１０は、光源２０と、コリメータレンズ２２と、チャート板２４と、第１回転機構２６と、マスク板２８と、第２回転機構３０と、投影レンズ３２と、制御部３４と、操作部３６と、を備える。
【００３４】
光源２０は、白色光Ｌ１を出射する半導体光源、より具体的にはＬＥＤ（発光ダイオード）である。なお、図中の符号ＯＡは白色光Ｌ１の光路（視標呈示装置１０の光学系の光軸）を示す。また、白色光Ｌ１を出射する光源２０として、例えばレーザダイオードのようなＬＥＤ以外の半導体光源を用いたり、或いはハロゲンランプを用いたりしてもよい。
【００３５】
コリメータレンズ２２は、光源２０から出射された白色光Ｌ１を平行光束（略平行光束）とした後、この白色光Ｌ１をマスク板２８に向けて出射する。これにより、白色光Ｌ１がマスク板２８のマスク開口２９と、チャート板２４の視標チャート２５とを順番に透過する。なお、チャート板２４とマスク板２８との位置関係が逆であってもよい。
【００３６】
図３は、チャート板２４の正面図である。図３及び既述の図１に示すように、チャート板２４は、光路ＯＡに平行な第１回転軸３８を中心として回転する円板状のガラス板である。このチャート板２４には、第１回転軸３８の軸周り方向に沿って（すなわち第１回転軸３８を中心とする同一円上に沿って）、既述の３０種類の視標１２に対応する３０種類の視標チャート２５がクロム蒸着により形成されている。
【００３７】
なお、図３では、図面の煩雑化を防止するため、３０種類の視標１２に対応する視標チャート２５を数字「１」〜「３０」で簡略的に表している。例えば、レッドグリーンテスト視標１４は数字「８」で表わしている。
【００３８】
各黒色視標１３に対応する視標チャート２５とは、各黒色視標１３に対応するパターンをチャート板２４にクロム蒸着で形成したものである。また、レッドグリーンテスト視標１４に対応する視標チャート２５とは、黒色視標１６Ｂに対応するパターンをチャート板２４にクロム蒸着で形成したものである。さらに、ワース４灯テスト視標１５に対応する視標チャート２５とは、黒色背景１８Ｂに対応するパターンをチャート板２４にクロム蒸着で形成したものである。
【００３９】
第１回転軸３８は、チャート板２４の各視標チャート２５のいずれかが光路ＯＡに配置されるように、この光路ＯＡからその垂直方向にシフトした位置に設けられている。これにより、第１回転軸３８を中心としてチャート板２４を回転させることにより、３０種類の各視標チャート２５のいずれかが選択的に光路ＯＡに配置される。
【００４０】
第１回転機構２６は、不図示のモータと、このモータの回転駆動力を第１回転軸３８に伝達する不図示の駆動伝達機構とにより構成されており、後述の制御部３４の制御の下、第１回転軸３８を回転させる。これにより、チャート板２４が第１回転軸３８を中心として回転する。
【００４１】
図４は、マスク板２８の正面図である。図４及び既述の図１に示すように、マスク板２８は、光路ＯＡに平行な第２回転軸４０を中心として回転する円板状のガラス板である。マスク板２８の一面（両面でも可）には、クロム蒸着による遮光層２８ａ（図６参照）が形成されている。このマスク板２８の遮光層２８ａには、第２回転軸４０の軸周り方向に沿って（すなわち第２回転軸４０を中心とする同一円上に沿って）、白色光Ｌ１を透過可能な複数種類のマスク開口２９が形成されている。なお、マスク板２８は金属等の白色光Ｌ１を透過しない材料で形成されていてもよく、この場合には各マスク開口２９として貫通孔がマスク板２８に形成される。
【００４２】
複数種類のマスク開口２９には、例えば、視力検査用の黒色視標１３に対応する視標チャート２５の一部領域のみに白色光Ｌ１を照射可能な形状の開口、及び視標チャート２５の全領域に白色光Ｌ１を照射可能な形状の開口などの各種形状の開口が含まれている。これにより、視標チャート２５に対してマスク開口２９に対応した照射範囲で白色光Ｌ１を照射することができる。
【００４３】
また、マスク板２８の一部のマスク開口２９に対応する位置には、レッドグリーンテスト視標１４及びワース４灯テスト視標１５などにそれぞれ対応した二色フィルタ４４が貼付等の方法で設けられている。レッドグリーンテスト視標１４に対応する二色フィルタ４４は、レッドグリーンテスト視標１４の背景を緑色背景１６Ｇと赤色背景１６Ｒとに色分けする。また、ワース４灯テスト視標１５に対応した二色フィルタ４４は、視標自体を緑色視標１８Ｇと赤色視標１８Ｒとに色分けする。
【００４４】
第２回転軸４０は、マスク板２８の各マスク開口２９（二色フィルタ４４）のいずれかが光路ＯＡに配置されるように、この光路ＯＡから既述の垂直方向にシフトした位置に設けられている。これにより、第２回転軸４０を中心としてマスク板２８を回転させることにより、各マスク開口２９（二色フィルタ４４）のいずれかが選択的に光路ＯＡに配置される。
【００４５】
第２回転機構３０は、既述の第１回転機構２６と同様の構成であり、後述の制御部３４の制御の下、第２回転軸４０を回転させる。これにより、マスク板２８が第２回転軸４０を中心として回転する。
【００４６】
図１に戻って、制御部３４は、検者による操作部３６に対する各種の入力操作に応じて、視標呈示装置１０の各部（光源２０、第１回転機構２６、及び第２回転機構３０）の駆動を制御する。この入力操作には、例えば、光源２０のオンオフ操作、視標１２の選択操作、及びマスク選択操作などが含まれる。
【００４７】
制御部３４は、操作部３６に入力された光源２０のオンオフ操作に応じて、光源２０をオンオフする。
【００４８】
制御部３４は、操作部３６に入力された視標１２の選択操作に応じて、第１回転機構２６を駆動して第１回転軸３８及びチャート板２４を回転させることで、選択操作に対応する視標チャート２５を光路ＯＡに配置させる。
【００４９】
また、制御部３４は、操作部３６に入力された選択操作が黒色視標１３の選択操作である場合には、第２回転機構３０を駆動して第２回転軸４０及びマスク板２８を回転させることで、視標チャート２５の全領域に白色光Ｌ１を照射可能なマスク開口２９を光路ＯＡに配置させる。これにより、コリメータレンズ２２から出射された白色光Ｌ１が、マスク開口２９及び視標チャート２５を順番に透過して、視標チャート２５から黒色視標１３の視標光束Ｌ２が出射される。
【００５０】
一方、制御部３４は、操作部３６に入力された選択操作がレッドグリーンテスト視標１４又はワース４灯テスト視標１５の選択操作である場合には、第２回転機構３０を駆動して第２回転軸４０及びマスク板２８を回転させることで、選択操作に対応する二色フィルタ４４を光路ＯＡに配置させる。これにより、コリメータレンズ２２から出射された白色光Ｌ１が二色フィルタ４４及び視標チャート２５を順番に透過して、視標チャート２５からレッドグリーンテスト視標１４又はワース４灯テスト視標１５の視標光束Ｌ２が出射される。
【００５１】
制御部３４は、操作部３６に入力されたマスク操作に応じて、第２回転機構３０を駆動して第２回転軸４０及びマスク板２８を回転させることで、マスク選択操作に対応するマスク開口２９を光路ＯＡに配置させる。これにより、視標チャート２５に照射される白色光Ｌ１の照射範囲がマスク開口２９により制限されるので、例えばマトリクス状に配置されている視力検査用の黒色視標１３の縦一列、横一列、又は一つだけを選択的に被検眼Ｅに呈示することができる。
【００５２】
投影レンズ３２は、視標チャート２５を透過した視標１２の視標光束Ｌ２を、被検眼Ｅから所定の検査距離Ｄ（例えば５ｍ）だけ離れた位置に設けられているスクリーン９上に結像させる。これにより、被検眼Ｅに対して視標１２が呈示される。
【００５３】
［二色フィルタ］
図５は、レッドグリーンテスト視標１４に対応した二色フィルタ４４の外観斜視図である。図５に示すように、二色フィルタ４４は、ガラス基板４６と、緑色ダイクロイックフィルタ（以下、ＧＤＦという）４８と、赤色ダイクロイックフィルタ（以下、ＲＤＦという）４９と、を備える。なお、図５（他の図も同様）では、二色フィルタ４４の各部を明確にするため、相互の厚みの比率は無視して特にＧＤＦ４８及びＲＤＦ４９の厚みを一部誇張している。また、本明細書におけるダイクロイックフィルタにはダイクロイックミラーも含まれる。
【００５４】
ガラス基板４６は、本発明の透光性の基板に相当するものであり、白色光Ｌ１を透過する透明基板である。
【００５５】
ＧＤＦ４８及びＲＤＦ４９は、屈折率の異なる誘電体の多層膜である誘電体多層膜であり、ガラス基板４６の表面上に蒸着法又はスパッタ法などの公知の成膜法で形成される。これにより、ガラス基板４６の表面上にＧＤＦ４８及びＲＤＦ４９を順番に且つ互いに接するように形成して、この表面上でＧＤＦ４８及びＲＤＦ４９を接合させることができる。或いは、この表面上において定められたエリアごとにＧＤＦ４８及びＲＤＦ４９を形成することができる。さらに、公知の成膜法を用いることで、１枚のガラス板（ワーク）に一対のＧＤＦ４８及びＲＤＦ４９をマトリクス状に多数形成することができる。これにより、この形成後にガラス基板を一対のＧＤＦ４８及びＲＤＦ４９ごとに分割することで、二色フィルタ４４を大量生産することができる。
【００５６】
ＧＤＦ４８及びＲＤＦ４９は、薄膜であるためガラス基板４６に支持されている。そして、ガラス基板４６は、ＧＤＦ４８及びＲＤＦ４９を支持可能であればその厚みは特に限定されず、薄く形成することができる。
【００５７】
図６は、図５に示した二色フィルタ４４による緑色光ＬＧ及び赤色光ＬＲの透過を説明するための説明図である。なお、図５では、二色フィルタ４４のＧＤＦ４８及びＲＤＦ４９側の面がマスク板２８（マスク開口２９）に貼り付けられているが、逆にガラス基板４６側の面がマスク板２８に貼り付けられていてもよい。
【００５８】
また、図６では、二色フィルタ４４が、マスク板２８のコリメータレンズ２２に対向する一面側に設けられているが、マスク板２８の一面側とは反対面側（チャート板２４に対向する面側）に設けられていてもよい。すなわち、二色フィルタ４４は、マスク板２８のマスク開口２９に対応する位置（マスク開口２９を透過する白色光Ｌ１の光路上の位置）であれば、マスク板２８の一面側と反対面側とのいずれに設けられていてもよい。
【００５９】
図６に示すように、二色フィルタ４４が光路ＯＡに配置されると、コリメータレンズ２２から出射された白色光Ｌ１がガラス基板４６を透過してＧＤＦ４８及びＲＤＦ４９にそれぞれ入射する。
【００６０】
ＧＤＦ４８は、白色光Ｌ１の中で緑色波長域の緑色光ＬＧのみを透過し且つ他の波長域の余剰光はコリメータレンズ２２側に反射する。また、ＲＤＦ４９は、白色光Ｌ１の中で赤色波長域の赤色光ＬＲのみを透過し且つ他の波長域の余剰光はコリメータレンズ２２側に反射する。これにより、レッドグリーンテスト視標１４に対応した視標チャート２５の右半分及び左半分の一方が緑色光ＬＧで照明され且つ他方が赤色光ＬＲで照明されるので、背景が緑色背景１６Ｇと赤色背景１６Ｒとに色分けされたレッドグリーンテスト視標１４の視標光束Ｌ２がスクリーン９に投影される。
【００６１】
なお、ＧＤＦ４８及びＲＤＦ４９のフィルタ特性は、例えば、光源２０を標準光源（Ａ光源）とした場合に以下のように定められる。なお、本発明はこれに限定されるものではない。ＧＤＦ４８の透過特性のピークが波長５３０ｎｍから５５０ｎｍの範囲内にあり、ＲＤＦ４９の透過特性のピークが波長６００ｎｍから６２０ｎｍの範囲内である。また、ＧＤＦ４８及びＲＤＦ４９の分光視感透過率の半値全幅が６０ｎｍである。さらに、ＧＤＦ４８及びＲＤＦ４９の分光視感透過率は、分光視感透過率が低い方が分光視感透過率の高い方の１５％を下回らないように調整されている。
【００６２】
さらにまた、ＧＤＦ４８の波長５９５〜６０５ｎｍの分光透過率が０．０２以下で且つ波長６０５〜７００ｎｍの分光透過率が０．０１以下である。また、ＲＤＦ４９の波長５９５〜６０５ｎｍの分光透過率が０．０２以下で且つ波長４００〜５９５ｎｍの分光透過率が０．０１以下である。
【００６３】
なお、ワース４灯テスト視標１５に対応した二色フィルタ４４は、ＧＤＦ４８及びＲＤＦ４９のパターン（形状）が異なる点を除けば、既述のレッドグリーンテスト視標１４に対応した二色フィルタ４４と基本的に同じ構成であるので、具体的な説明は省略する。
【００６４】
以上のように本実施形態では、二色フィルタ４４の緑色フィルタ及び赤色フィルタとして薄膜（薄層）のＧＤＦ４８及びＲＤＦ４９を用いることにより、緑色フィルタ及び赤色フィルタを色ガラスフィルタで形成する場合よりも厚みを大幅に薄くすることができる。このため、既述の図１１に示したように白色光Ｌ１が二色フィルタ４４に斜めに入射したとしてもこの白色光Ｌ１がＧＤＦ４８及びＲＤＦ４９の双方を透過することが防止される。その結果、既述の図１２に示したように、レッドグリーンテスト視標１４における緑色背景１６Ｇ及び赤色背景１６Ｒの境界に影１１４が発生することが防止されるので、被検眼Ｅに対して良好なレッドグリーンテスト視標１４を呈示することができる。
【００６５】
また、ＧＤＦ４８及びＲＤＦ４９は、公知の成膜法を用いてガラス基板４６上で互いに接合した状態で形成することができるので、ＧＤＦ４８及びＲＤＦ４９の接合部に欠けが発生することが防止される。これにより、緑色背景１６Ｇ及び赤色背景１６Ｒの境界に影１１４が発生することが防止される。また、色ガラスフィルタを用いる従来のように、緑色背景１６Ｇ及び赤色背景１６Ｒの間隔をあけたり、上述の接合後に研磨したりする必要がなくなる。その結果、被検眼Ｅに対して良好なレッドグリーンテスト視標１４及びワース４灯テスト視標１５を呈示することができ、且つ研磨の手間を減らすことができる。
【００６６】
さらに、ＧＤＦ４８及びＲＤＦ４９は、市販品の色ガラスフィルタとは異なり、透過性能設計の自由度が高いため、光源２０の種類に応じてＧＤＦ４８及びＲＤＦ４９の性能を最適化することができる。その結果、被検眼Ｅに対して良好なレッドグリーンテスト視標１４及びワース４灯テスト視標１５を呈示することができる。
【００６７】
さらにまた、ＧＤＦ４８及びＲＤＦ４９は薄膜であるので、色ガラスフィルタを用いる場合よりも二色フィルタ４４を大幅に軽量化することができる。その結果、マスク板１０４の重量増加を最小限に抑えることができるので、マスク板２８の高速回転及び停止が可能となり、視標１２の切り替えを短時間で行うことができる。
【００６８】
［変形例］
以下、二色フィルタ４４（視標呈示装置１０）の変形例について説明する。なお、変形例は、一部を除いて上記実施形態と基本的には同じ構成であるので、上記実施形態と機能又は構成上同一のものについては、同一符号を付してその説明は省略する。
【００６９】
＜変形例１＞
図７は、二色フィルタ４４の変形例１を説明するための説明図である。上記実施形態では、二色フィルタ４４をマスク板２８に設けているが、例えば図７に示すように、二色フィルタ４４を貼付等の方法でチャート板２４の少なくとも一つの視標チャート２５に対応する位置に設けてもよい。この場合にも上記実施形態と同様の効果が得られる。また、マスク板２８が無いタイプの視標呈示装置１０にも本発明を適用することができる。
【００７０】
なお、二色フィルタ４４のＧＤＦ４８及びＲＤＦ４９側の面がチャート板２４（視標チャート２５）に貼り付けられているが、逆にガラス基板４６側の面がチャート板２４に貼り付けられていてもよい。
【００７１】
また、図７では、二色フィルタ４４が、チャート板２４のマスク板２８に対向する一面側に設けられているが、チャート板２４の一面側とは反対面側（投影レンズ３２に対向する面側）に設けられていてもよい。すなわち、二色フィルタ４４は、チャート板２４の視標チャート２５に対応する位置（視標チャート２５を透過する白色光Ｌ１の光路上の位置）であれば、マスク板２８の一面側と反対面側とのいずれに設けられていてもよい。
【００７２】
＜変形例２＞
図８は、レッドグリーンテスト視標１４に対応した二色フィルタ４４の変形例２を説明するための説明図である。図９は、ワース４灯テスト視標１５に対応した二色フィルタ４４の変形例２を説明するための説明図である。
【００７３】
上記実施形態では、ガラス基板４６上にＧＤＦ４８及びＲＤＦ４９を形成しているが、図８及び図９に示すように、公知の成膜法を用いて、ＧＤＦ４８及びＲＤＦ４９をチャート板２４（ガラス板）の視標チャート２５に対応する位置（チャート板２４の両面のいずれもでも可）に形成してもよい。或いは、図示は省略するが、ＧＤＦ４８及びＲＤＦ４９をマスク板２８（ガラス板）のマスク開口２９に対応する位置（マスク板２８の両面のいずれでも可）に形成してもよい。この場合には、チャート板２４の一部或いはマスク板２８の一部が本発明の透光性の基板として機能する。
【００７４】
このように、ＧＤＦ４８及びＲＤＦ４９をチャート板２４又はマスク板２８に直接形成した場合においても上記実施形態と同様の効果が得られる。また、この場合にはガラス基板４６が不要となるので、二色フィルタ４４をより軽量化することができる。さらに、部品数を減らすことができると共に、別途に形成された二色フィルタ４４をチャート板２４又はマスク板２８に貼り合せる工程を省略することができる。
【００７５】
＜変形例３＞
図１０は、二色フィルタ４４の変形例３を説明するための説明図である。上記実施形態の二色フィルタ４４では、透明なガラス基板４６上にＧＤＦ４８及びＲＤＦ４９を形成しているが、ＧＤＦ４８及びＲＤＦ４９を色ガラスフィルタ上に形成してもよい。
【００７６】
具体的には、図１０に示すように、二色フィルタ４４を、ＧＤＦ４８及びＲＤＦ４９と、本発明の透明基板に相当する緑色ガラスフィルタ５０及び赤色ガラスフィルタ５１と、により構成する。なお、二色フィルタ４４は、マスク板２８の両面のいずれの面に設けられていてもよく、さらにチャート板２４の両面のいずれの面に設けられていてもよい。
【００７７】
緑色ガラスフィルタ５０は、ＧＤＦ４８と同様に緑色波長域の緑色光ＬＧを透過する。また、赤色ガラスフィルタ５１は、ＲＤＦ４９と同様に赤色波長域の赤色光ＬＲを透過する。これら緑色ガラスフィルタ５０及び赤色ガラスフィルタ５１は公知の方法で接合される。
【００７８】
変形例３のＧＤＦ４８は、公知の成膜法により緑色ガラスフィルタ５０の表面上にＧＤＦ４８が形成され、且つ変形例３のＲＤＦ４９は、公知の成膜法により赤色ガラスフィルタ５１の表面上に形成される。なお、ＧＤＦ４８及びＲＤＦ４９の成膜は、緑色ガラスフィルタ５０及び赤色ガラスフィルタ５１の接合前又は接合後のいずれに行ってもよい。
【００７９】
このように緑色及び赤色の色フィルタとして、ガラスフィルタ及びダイクロイックフィルタを組み合わせた所謂ハイブリットフィルタを用いることで、より多種の光源２０に対応することができる。また、ガラスフィルタ及びダイクロイックフィルタを組み合わせることで、ガラスフィルタ単体で色フィルタを構成する場合よりも色フィルタの厚みを薄くすることができる。その結果、上記実施形態と同様に、緑色背景１６Ｇ及び赤色背景１６Ｒの境界に影１１４が発生することが防止されるので、被検眼Ｅに対して良好なレッドグリーンテスト視標１４及びワース４灯テスト視標１５を呈示することができる。
【００８０】
［その他］
上記実施形態及び変形例では、レッドグリーンテスト視標１４及びワース４灯テスト視標１５に対応する二色フィルタ４４を例に挙げているが、背景又は視標自体が緑色と赤色とに色分けされている公知の他の視標１２に対応する二色フィルタ４４にも本発明を適用することができる。
【００８１】
上記実施形態及び変形例では、ＧＤＦ４８及びＲＤＦ４９をガラス板（ガラス基板４６、チャート板２４、マスク板２８）に形成しているが、透光性を有し且つＧＤＦ４８及びＲＤＦ４９を形成可能であれば公知の他の材料からなる基板上にＧＤＦ４８及びＲＤＦ４９を形成してもよい。
【００８２】
上記実施形態及び変形例の視標呈示装置１０は、視標光束Ｌ２をスクリーン９上に結像（投影）しているが、例えば光学系を用いて視標光束Ｌ２に基づく視標１２の虚像を被検眼Ｅから検査距離Ｄだけ離れた位置に結像させることにより、被検眼Ｅから近距離に設置可能な省スペースタイプの視標呈示装置１０にも本発明を適用することができる。
【符号の説明】
【００８３】
１０…視標呈示装置
１２…視標
１４…レッドグリーンテスト視標
１５…ワース４灯テスト視標
２０…光源
２４…チャート板
２５…視標チャート
２６…第１回転機構
２８…マスク板
２９…マスク開口
３０…第２回転機構
３８…第１回転軸
４０…第２回転軸
４４…二色フィルタ
４６…ガラス基板
４８…緑色ダイクロイックフィルタ（ＧＤＦ）
４９…赤色ダイクロイックフィルタ（ＲＤＦ）
５０…緑色ガラスフィルタ
５１…赤色ガラスフィルタ
【図１】
2020156685.tif 000003
【図２】
2020156685.tif 000004
【図３】
2020156685.tif 000005
【図４】
2020156685.tif 000006
【図５】
2020156685.tif 000007
【図６】
2020156685.tif 000008
【図７】
2020156685.tif 000009
【図８】
2020156685.tif 000010
【図９】
2020156685.tif 000011
【図１０】
2020156685.tif 000012
【図１１】
2020156685.tif 000013
【図１２】
2020156685.tif 000014